(57)【要約】【課題】ランプの状態を考慮して負荷を制限しバッテリの過放電を防止することのできる内視鏡用バッテリ式光源装置を提供する。【解決手段】バッテリ電源より電流供給がされた際に所定の状態において導通状態となり当該電流を伝達する第１のスイッチング手段と、前記第１のスイッチング手段により伝達された電流を所定の電流値に制限してランプに伝達する第１の電流経路と、第２のスイッチング手段を有し、前記第１のスイッチング手段により伝達された電流を前記ランプに伝達する、オン／オフ制御可能な第２の電流経路と、を具備したことを特徴とする。【選択図】図１０
2005087758.tif 000002
【特許請求の範囲】
【請求項１】
バッテリ電源より電流供給がされた際に所定の状態において導通状態となり当該電流を伝達する第１のスイッチング手段と、
前記第１のスイッチング手段により伝達された電流を所定の電流値に制限してランプに伝達する第１の電流経路と、
第２のスイッチング手段を有し、前記第１のスイッチング手段により伝達された電流を前記ランプに伝達する、オン／オフ制御可能な第２の電流経路と、
を具備したことを特徴とする内視鏡用バッテリ式電源装置。
【請求項２】
前記バッテリ電源からの電流が供給されてから所定のタイミングになるまでの間前記第２のスイッチング手段をオフ状態として前記第１の電流経路により前記ランプに電流を供給し、前記所定のタイミングになってからは前記第２のスイッチング手段をオン状態として前記第２の電流経路により前記ランプに電流を供給することを特徴とする請求項１に記載の内視鏡用バッテリ式電源装置。
【請求項３】
前記バッテリ電源からの電流をＤＣ／ＤＣ変換する第１のＤＣ／ＤＣコンバータを有し、
少なくとも前記ランプに供給する電流は、この第１のＤＣ／ＤＣコンバータの出力より供給することを特徴とする請求項１または２に記載の内視鏡用バッテリ式電源装置。
【請求項４】
前記バッテリ電源からの電流の供給のオン／オフを行う第３のスイッチング手段と、
前記第３のスイッチング手段を介さず前記バッテリ電源と接続された第２のＤＣ／ＤＣコンバータと、
を有し、
前記第１のＤＣ／ＤＣコンバータへは前記第３のスイッチング手段を介して電流を供給し、前記第１のスイッチング手段と前記第２のスイッチング手段とを制御するための制御手段へは、前記第２のＤＣ／ＤＣコンバータを介して電流を供給することを特徴とする請求項１乃至３のいずれか一に記載の内視鏡用バッテリ式電源装置。
【発明の詳細な説明】
【技術分野】
【０００１】
本発明は、内視鏡に照明光を供給する光源ランプ及び光源ランプに電力を供給するバッテリを備えた内視鏡用バッテリ型光源装置の電源回路部分に関する。
【背景技術】
【０００２】
特開平１１−１５３７５９号公報では、電源として乾電池等のバッテリを使用したバッテリ型光源装置を内視鏡の操作部に着脱自在に取り付けられるようにしたものである。このようなものは、持ち運びが容易であるとともに、電源のないところでの使用が可能になるので、緊急あるいは屋外での使用などに適したものである。
【０００３】
このようにした、バッテリ型光源装置ではランプに供給する際に、バッテリ電圧を昇圧してランプに電圧供給し、ランプをより明るく点灯できるようにしていた。この昇圧回路は、出力電圧を一定にする定電圧動作するようになっている。
【発明の開示】
【発明が解決しようとする課題】
【０００４】
この時、バッテリを使用した光源装置では、バッテリの過放電、及びバッテリ短絡保護する必要があるため、短絡保護機能と、ローバッテリ時にユーザに消耗状態を確実に告知させることと、回路上で過放電にならないようにすることが必要であった。
【０００５】
そこで、本出願人が先に出願した特願２０００−２２４０５号では、消耗状態でＤＣ／ＤＣの出力を通常の明るさより暗い第２の電力状態を設けることで告知していたが、ユーザがそのまま使用してしまうとすぐに終止電圧を超え、過放電してしまう問題があった。
【０００６】
また、ＦＥＴを使用したランプを点滅させ告知する手段が示されているが、ランプにかかる電力を変動させたとき、同時に制御手段の電力も変動してしまう問題と、ランプのオンオフ、及び電源投入時に、非常に大きな突入電流が流れるといった問題もあった。そのため、一般的には負荷用、制御手段用にそれぞれＤＣ／ＤＣを設けており、１つのＤＣ／ＤＣコンバータで負荷と制御手段の電源を共有させ、バッテリ保護、及び負荷制御することは難しかった。
【０００７】
本発明は、上記事情に鑑みてなされたものであり、ランプの状態を考慮して負荷を制限しバッテリの過放電を防止することのできる内視鏡用バッテリ式光源装置を提供することを目的としている。
【課題を解決するための手段】
【０００８】
本発明の第１の内視鏡用バッテリ式電源装置は、バッテリ電源より電流供給がされた際に所定の状態において導通状態となり当該電流を伝達する第１のスイッチング手段と、前記第１のスイッチング手段により伝達された電流を所定の電流値に制限してランプに伝達する第１の電流経路と、第２のスイッチング手段を有し、前記第１のスイッチング手段により伝達された電流を前記ランプに伝達する、オン／オフ制御可能な第２の電流経路と、を具備したことを特徴とする。
【０００９】
本発明の第２の内視鏡用バッテリ式電源装置は、上記第１の内視鏡用バッテリ式電源装置において、前記バッテリ電源からの電流が供給されてから所定のタイミングになるまでの間前記第２のスイッチング手段をオフ状態として前記第１の電流経路により前記ランプに電流を供給し、前記所定のタイミングになってからは前記第２のスイッチング手段をオン状態として前記第２の電流経路により前記ランプに電流を供給することを特徴とする。
【００１０】
本発明の第３の内視鏡用バッテリ式電源装置は、上記第１または第２の内視鏡用バッテリ式電源装置において、前記バッテリ電源からの電流をＤＣ／ＤＣ変換する第１のＤＣ／ＤＣコンバータを有し、少なくとも前記ランプに供給する電流は、この第１のＤＣ／ＤＣコンバータの出力より供給することを特徴とする。
【００１１】
本発明の第４の内視鏡用バッテリ式電源装置は、上記第１乃至第３の内視鏡用バッテリ式電源装置において、前記バッテリ電源からの電流の供給のオン／オフを行う第３のスイッチング手段と、前記第３のスイッチング手段を介さず前記バッテリ電源と接続された第２のＤＣ／ＤＣコンバータと、を有し、前記第１のＤＣ／ＤＣコンバータへは前記第３のスイッチング手段を介して電流を供給し、前記第１のスイッチング手段と前記第２のスイッチング手段とを制御するための制御手段へは、前記第２のＤＣ／ＤＣコンバータを介して電流を供給することを特徴とする。
【発明の効果】
【００１２】
本発明によれば、ランプの状態を考慮して負荷を制限しバッテリの過放電を防止することができるという効果がある。
【発明を実施するための最良の形態】
【００１３】
以下、図面を参照して本発明の実施の形態を説明する。
【００１４】
第１の実施の形態：
図１ないし図９は本発明の第１の実施の形態に係わり、図１は内視鏡装置の構成を示す構成図、図２は図１のバッテリ型光源装置の構成を示す構成図、図３は図２のバッテリ型光源装置の電源回路の構成を示す構成図、図４は図３のＤＣ／ＤＣコンバータの内部スイッチング回路部の構成を示す構成図、図５は図３のバッテリ型光源装置の電源回路の作用を説明する第１のフローチャート、図６は図３のバッテリ型光源装置の電源回路の作用を説明する第２のフローチャート、図７は図５のＡ／Ｄ変換サブルーチンの処理の流れを示すフローチャート、図８は図５の電圧判定サブルーチンの処理の流れを示すフローチャート、図９は図６のイベント発生時の警告表示を説明する説明図である。
【００１５】
（構成）
図１に示すように、本実施の形態の内視鏡装置１は、管腔内の対象部位を観察する内視鏡２と、この内視鏡２に着脱自在に接続されるバッテリ型光源装置３から構成される。内視鏡２は、細長の挿入部４とこの挿入部４の後端に設けられた把持部を兼ねる操作部５と、操作部５の後端に形成された接眼部６と、操作部５の側部に突設したライトガイド口金７の端部にバッテリ型光源装置３の接続口金８を着脱自在に接続できるようになっている。ライトガイド口金７には、バッテリ型光源装置３と選択的にライトガイドケーブル（図示せず）を接続して一般的に内視鏡用光源装置に接続して使用できるようにもなっている。
【００１６】
図２に示すように、バッテリ型光源装置３は、ランプユニット９とバッテリユニット１０からなり、ランプユニット９にはランプホルダ１１に保持された照明光を発光するランプ１２が装填され、バッテリユニット１０には電源供給するバッテリ（１次または２次）１３が装填されるようになっている。また、ランプユニット９は放熱構造をなす凸部９ａ及び凹部９ｂで示すように表面積を広くしている。
【００１７】
バッテリ型光源装置３の電源回路 では、図３に示すように、バッテリ１３は２個直列に接続されている。バッテリ１３からはニッケル水素電池のセル電圧１．２Ｖ×２＝２．４Ｖが供給される（もしくはリチウム電池１．５Ｖ×２＝３Ｖ、またはリチウム電池パック（１セルＶ並列））。この電源回路には、電源をＯＮ／ＯＦＦするスイッチ１４と、コイル１７にエネルギーを発生させるスイッチング回路を有する昇圧、もしくは降圧タイプで最適な明るさにするためにランプ１２に所定の電圧を供給するＤＣ／ＤＣコンバータ１５が設けられ、ＤＣ／ＤＣコンバータ１５と、バッテリ１３の間に過電流保護素子であるポリスイッチ１６が設けられている。
【００１８】
また、コイル１７の後に整流用ダイオード１８の整流後のエネルギーを蓄えるコンデンサ２０、出力電圧を電圧フィードバックする比較手段２１は抵抗Ｒ１，Ｒ２でＤＣ／ＤＣコンバータ１５の周辺部品として設けられている。ＤＣ／ＤＣコンバータ１５で昇圧された出力にはランプ１２が設けられている。ランプは３．３Ｖ〜５Ｖの範囲で明るいランプが使用可能である。本実施の形態では、定格４．８Ｖのランプ１２を使用している。
【００１９】
入力コンデンサ１９はコイル１７がスイッチングするためのエネルギーを貯えている。
【００２０】
また、ランプ１２とＤＣ／ＤＣコンバータ１５の出力との間には、電気的スイッチ、例えばＦＥＴが２つ設けられており、第１ＦＥＴ２２は、ランプ負荷（強負荷）とランプ負荷切り離し（軽負荷）を制限し、ＣＰＵ２９の出力ポートから電圧制御されている。また第２ＦＥＴ２３はＤＣ／ＤＣコンバータ１５の出力からランプ１２にかかる電力を第１，第２の状態に制限することができる固定負荷２４、もしくは可変負荷により、ランプ１２にかかる電力は設定することができる。
【００２１】
第１ＦＥＴ２２のソースはダイオード１８のカソードと、第１ＦＥＴ２２のドレインは第２ＦＥＴ２３のソースと、第２ＦＥＴ２３のドレインはランプ１２と接続されており、ランプ負荷制限、及びバッテリ電圧監視用制御手段であるＣＰＵ２９はランプ負荷制限時に、第１ＦＥＴ２２，第２ＦＥＴ２３のソース、ゲート間に一定の電位差を供給できるようになっているため、確実にこれらＦＥＴをオンすることができる。
【００２２】
ただし、今回は、負荷制限手段としてＰチャンネルＦＥＴを使用しているため、プルアップ抵抗２５，２６を設けているが、Ｎ−チャンネルＦＥＴ等の電流制限手段であればランプと電気スイッチの接続順序を変え、ＦＥＴのゲートにかかる電圧制御を調整するだけで容易に同様の効果を得ることができる。
【００２３】
ＣＰＵ２９は、振動子（水晶発振器等）２８のクロックで動作し、バッテリ１３の電圧を入力ポート２７で監視し、残量表示用３つの第１ないし第３ＬＥＤ３０ａ，３０ｂ，３０ｃ及び電流制限用の第１及び第２ＦＥＴ２２，２３を駆動制御する構成となっている。
【００２４】
なお、第１ＬＥＤ３０ａ及び第２ＬＥＤ３０ｂは緑色を発光するＬＥＤであって、第３ＬＥＤ３０ｂ黄色を発光するＬＥＤである。
【００２５】
ＤＣ／ＤＣコンバータ１５の内部スイッチング回路部３１は、図４に示すようになっており、電圧フィードバックから内部のＶrefと比較してＰＷＭ制御に制御信号を発生する電圧制御部３４と、ＰＷＭ制御部３５とスイッチング部３６とから構成されている。ＰＷＭ制御部３５は、電圧が一定になるようにパルス幅制御を行い、スイッチング部３６のＦＥＴをＯＮ／ＯＦＦスイッチングさせて、コイル１７にエネルギーを蓄えるのをパルス幅の制御を行って、電圧を一定している。
【００２６】
（作用）
このように構成された内視鏡装置１では、内視鏡２にバッテリ型光源装置３を接続して、内視鏡観察を行う。観察の前に始業点検により状態がチェックされる。チェックのための観察を行う際には、操作スイッチ（図示せず）を操作すると、ユーザ操作により電源スイッチ１４がオンしてバッテリから電源が供給され、ＤＣ／ＤＣコンバータ１５が作動し始める。その時、電源投入時は、ＤＣ／ＤＣコンバータ１５を安定して立ち上げるために、負荷制限をかけ軽負荷で立ち上げる。
【００２７】
電源投入すると、第１に、ＤＣ／ＤＣコンバータ１５が作動しはじめ昇圧もしくは降圧を開始する。そのとき、ＣＰＵ２９が動作していれば、図５及び図６に示すように、ステップＳ１でＣＰＵ初期設定を行い、ステップＳ２でＦＥＴのゲート電圧を制御するＣＰＵ２９のＩ／Ｏポートをオフに設定することで、ランプ１２はＤＣ／ＤＣコンバータ１５の出力に接続されていない状態、つまり軽負荷での立ち上がりになり、ＤＣ／ＤＣコンバータ１５は安定した立ち上がりを得る。ここで、昇圧開始時に、ＣＰＵ２９が動作していないときは、以下のように制御する。
【００２８】
例えば、今回使用しているＣＰＵ２９は動作外電圧ではＩ／Ｏポートがオフになる仕様の例えばＰＩＣマイコン（ワンチップ型マイクロプロセッサ：マイクロテクノロジー社登録商標）なので、昇圧開始時にＣＰＵ２９が動作しなくても第１及び第２ＦＥＴ２２，２３が勝手にオンすることはない。
【００２９】
他のデバイスで、動作電圧外でＩ／Ｏポートの動作が保証されていないときは、それぞれのＦＥＴゲートのプルアップ抵抗にコンデンサを接続して時定数を設定し、ＣＰＵ２９が動作するまでの間勝手にＯＮするのを遅延させることで容易に回避可能である。
【００３０】
次に、ステップＳ３でＣＰＵ２９の立ち上がりと同時にＰＯＲ（パワーオンリセット）が発生しそこから内部タイマを使用して約１００ｍｓ後に、ステップＳ４で第１ＦＥＴ２２をオンさせることで、ランプ１２が回路に接続される。ただし、本実施の形態では、ＰＯＲ発生後７８ｍｓは必ずカウントされてから動作するデバイスを使用しているので、実際は１７８ｍｓ後になる。そのとき、第２ＦＥＴ２３はまだオフしており、ＤＣ／ＤＣコンバータ１５にとっては、固定負荷＋ランプ負荷になるので、ランプの突入電流は固定負荷がないときと比べて大幅に押さえることが出来、ランプ突入電流による誤動作防止になる。
【００３１】
さらに、ステップＳ５で３００ｍｓ経過を待ち、ステップＳ６でタイマ動作開始時から４００ｍｓ後、つまり、ランプ１２の突入時の変動が安定してから、固定負荷２４に並列に接続された第２ＦＥＴ２３がオンすることで、ＤＣ／ＤＣコンバータ１５において負荷制限時の出力変動を最小限に抑えることができる。
【００３２】
上記作用にて回路の電源投入時とランプの突入電流時に安定動作が可能であり、ランプに最適な明るさ（定格４．８Ｖ）の電圧を供給する。
【００３３】
その後、ステップＳ７でさらに１００ｍｓ経過を待ち、ステップＳ８でタイムオーバーフロー割り込み許可状態となり、ステップＳ９でＣＰＵ２９がＡ／Ｄ変換サブルーチンを実行しＡ／Ｄ変換を用いてバッテリ電圧を監視し、ステップＳ１０で電圧判定サブルーチンを実行しバッテリ電圧のレベルを判定する。なお、本構成は図示しないＣＰＵ２９に内蔵されているＡ／Ｄ変換を使用しているが、外部Ａ／Ｄのデバイスを用いても問題無い。
【００３４】
ここで、上記構成は、ＰＩＣマイコンのＣＰＵにおいて、電源投入時にタイマをカウントして、それぞれの駆動タイミングを図り制御するものであるが、各駆動信号に対して、遅延を設けることでも同様の作用、及び効果を得ることもできる。例えば、第１ＦＥＴ２２と第２ＦＥＴ２３をオンする信号から、第２ＦＥＴ２３の駆動するゲートに時定数のコンデンサ等の遅延手段で、容易に突入電流防止を実現することができる。
【００３５】
上記のＡ／Ｄ変換サブルーチン及び電圧判定サブルーチンは、通常使用においてバッテリ１３のエネルギーが消耗して電圧低下した場合、ＣＰＵ２９がバッテリ１３の電圧を監視し、電圧低下のレベルに応じて、残量表示用の第１ないし第３ＬＥＤ３０ａ，３０ｂ，３０ｃの点灯状態を制御し、ユーザにバッテリ切れの警告を表示する処理である。
【００３６】
すなわち、ステップＳ９のＡ／Ｄ変換サブルーチンは、図７に示すように、ステップＳ３０で入力電圧をＡ／Ｄ変換してＣＰＵ２９内のメモリ（図示せず）に格納し、ステップＳ３１及びＳ３２で２５６回サンプリングして、ステップＳ３３で平均を取り、ステップＳ３４でその計算結果ＣＰＵ２９内のメモリ（図示せず）に格納し、ステップＳ３５でＡ／Ｄ変換フラグを１にセットして処理を終了する。
【００３７】
また、ステップＳ１０の電圧判定サブルーチンは、ＣＰＵ２９内のメモリ（図示せず）に格納されているＡ／Ｄ変換サブルーチンによる平均結果、すなわち測定電圧を読み出して、図８に示すように、ステップＳ４１でこの測定電圧を所定の第１の値Ｘ1（＝２．３Ｖ）と比較し測定電圧≧Ｘ1ならば、ステップＳ４２でＸ1フラグに０をセットしステップＳ５０に進み、測定電圧＜Ｘ1ならばステップＳ４３に進む。
【００３８】
ステップＳ４３では、測定電圧を所定の第２の値Ｘ2（＝２．２Ｖ）と比較し測定電圧≧Ｘ2ならば、ステップＳ４４でＸ2フラグに０をセットしステップＳ５０に進み、測定電圧＜Ｘ2ならばステップＳ４５に進む。
【００３９】
ステップＳ４５では、測定電圧を所定の第３の値Ｘ3（＝２．１Ｖ）と比較し測定電圧≧Ｘ3ならば、ステップＳ４６でＸ3フラグに０をセットしステップＳ５０に進み、測定電圧＜Ｘ3ならばステップＳ４７に進む。
【００４０】
ステップＳ４７では、測定電圧を所定の第４の値Ｘ4（＝２．０Ｖ）と比較し測定電圧≧Ｘ4ならば、ステップＳ４８でＸ4フラグに０をセットしステップＳ５０に進み、測定電圧＜Ｘ4ならばステップＳ４９でＸ5フラグに０をセットしステップＳ５０に進む。
【００４１】
ステップＳ５０では、これらＸ1〜Ｘ5フラグの状態に応じて、表１に示すように出力ポートの状態、すなわち第１ないし第３ＬＥＤ３０，３０ｂ，３０ｃと第１及び第２ＦＥＴ２２，２３への出力設定を行い、処理を終了する。
【表１】
2005087758.tif 000003
【００４２】
Ｘ1〜Ｘ5フラグの状態に応じて第１及び第２ＦＥＴ２２，２３への出力設定を行うのは、バッテリ型光源装置３が内視鏡２への接続による使用であるため、検査中はＬＥＤの状態を見落としてしまうことがあるため、ある消耗時の電圧（本実施の形態ではＸ4＝２．０Ｖ）において、ランプ１２を点滅させ、バッテリ切れの告知を行うためである。
【００４３】
すなわち、ＣＰＵ２９がある消耗電圧を検出したとき、ＣＰＵ２９の出力ポートから第２ＦＥＴ２３のオンオフ信号が出力される。
【００４４】
第２ＦＥＴ２３がオフすると、固定負荷２４により負荷制限するので電圧降下が発生し、ランプ１２に定格４．８Ｖより低い第２の電圧がかかる。この制御をある一定の周波数で、オンオフ（トグル）を繰り返すと、ランプの明るさが、最適な光量の第１の明るさと、違いが分かる程度の少し暗い第２の明るさが交互に発生し、ユーザにとっては点滅しているように見え、バッテリ切れの警告とすることができる。
【００４５】
この作用では、固定負荷２４をランプ１２に接続、非接続を制御するため、ＤＣ／ＤＣコンバータ１５の出力、つまりＣＰＵ２９の電源は変動することがない。つまり、通常ランプ１２には４．８Ｖの電圧がかかっているが、ランプ光を変化させるのにランプ１２に固定負荷２４を直列に接続すると、例えば４．８Ｖがランプ１２に２．９Ｖ、固定負荷２４に１．９Ｖと分圧されるので、ＣＰＵ２９の電源に変動はなく、そのため、固定負荷２４の定数によってはランプ１２の暗いときの明るさが全く電圧のかからない状態まで低下させ点滅させることも可能である。
【００４６】
また、この点滅期間は、表１に示すように、Ｘ4フラグが０である２．０Ｖから１．９Ｖまでの間点滅させる構成である。しかし、バッテリの容量のばらつきによっては点滅期間がばらつくため、バッテリ電圧判定と、ＣＰＵ２９の内部タイマの判定のＯＲをとることで、点滅期間の精度を上げることができる。つまり、バッテリの特性によっては、点滅時間が長くなるため、ある一定時間点滅したら過電流保護を作動し、また、使用状態により急に電圧が降下してしまうときは、ある一定の電圧で保護を働かせる。
【００４７】
また、上記作用では、ランプ電力が高いほど負荷制限の定格電力が大きくなってしまうため、図９のように、ＦＥＴのオンオフＤｕｔｙ比を変えることで、固定負荷２４の定格を低く設定でき、発熱も押さえることが可能である。例えば、図９（ａ）は第２ＦＥＴ２３をオフ状態にしたときは０．８Ｗ、図９（ｂ）（ｃ）のようにＤｕｔｙ５０％、２５％でオンオフさせれば０．４Ｗ、０．２Ｗになり、固定負荷２４の定格も１Ｗあたりを選定できる。
【００４８】
さらに、上記ランプ１２の点滅状態でユーザがバッテリ型光源装置３を使用し続けたり、そのままの状態で放置されても、回路上である一定の電圧を設定し、検出と同時にランプを強制的に切り離すことで、軽負荷状態になる。この時、バッテリ１３の電圧は上昇するため再度バッテリ電圧を検出せずにその状態をラッチする。
【００４９】
つまり電池にとってはローレート放電を保持するようになるため、バッテリの過放電防止になる。
【００５０】
図５に戻り、上記のＡ／Ｄ変換サブルーチン及び電圧判定サブルーチンが終了すると、ステップＳ１１でＸ5フラグが０にセットされているかどうか判定し、Ｘ5フラグが０にセットされている場合は処理を終了し、Ｘ5フラグが０にセットされていない場合は後述するイベント発生処理の割り込みを受け付ける。
【００５１】
そして、ステップＳ１２でイベント発生が発生すると、図６のステップＳ１３に処理を移行する。
【００５２】
イベント発生、すなわち、ＤＣ／ＤＣコンバータ１５の電圧が変動するような異常が発生したとき、例えば、ランプ１２のフィラメントがピッチショートを起こしたときに、回路は過電流が流れる。この時、ＤＣ／ＤＣコンバータ１５は出力に安定した電力が供給できなくなり、出力電圧が低下する。
【００５３】
ＣＰＵ２９は、複数のリセットモードが設定できるＰＩＣマイコンである。例えば、ＣＰＵ２９の動作範囲は４．０Ｖとすると、それ以下では、ブラウンアウトリセット（以下、ＢＯＲと略記）と呼ばれるモードになり、Ｉ／Ｏポートはオープン（ハイインピーダンス）状態に制御される。さらに電圧を下げ、例えば、２．２Ｖ以下になるとパワーオンリセット（以下、ＰＯＲと略記）モードになる。ＰＯＲでは、必ずプログラムがリセットされ再起動するモードであり、ＢＯＲは、ＰＯＲモードまで低下しないで、再度動作電圧まで復帰すれば、前の状態を保ったまま制御できるものである。
【００５４】
そこで、フィラメントのピッチショート等の過電流が流れるような異常が発生し電圧が低下すると、ステップＳ１３において、ＣＰＵ２９は、出力ポートをオープン（ハイインピーダンス）とし、ステップＳ１４でリセットモードに突入し電圧の出力低下に基づいてリセットフラグ、すなわちＢＯＲモードならＢＯＲフラグ、ＰＯＲモードならＰＯＲフラグを設定する。
【００５５】
なお、図示しないスイッチをユーザが押下することによりマニュアルでリセットをかけプログラムを再スタートさせるＭＣＬＲ（マニュアルクリア）モードがあり、ＭＣＬＲモードになるとリセットフラグであるＭＣＬＲフラグが設定される。
【００５６】
そして、リセットフラグの状態に応じて、表２に示すように、出力ポートが設定される。表２においてフラグは０が有効、ＰＯＲ、ＭＣＬＲはプログラム再スタート、ＢＯＲはＦＥＴラッチに設定している。各モードの優先度はＰＯＲ＞ＢＯＲ＞ＭＣＬＲになっている。
【表２】
2005087758.tif 000004
【００５７】
次に、ステップＳ１５で電圧の復帰を待ち、電圧が復帰したら、ステップＳ１６でリセットフラグによりＰＯＲモードなのかどうか判断し、ＰＯＲモードならば図５のステップＳ１に戻り、ＰＯＲモードでないならばステップＳ１７に進む。
【００５８】
ステップＳ１７では、リセットフラグによりＢＯＲモードなのかどうか判断し、ＢＯＲモードならばステップＳ１８で出力ポートを再設定し図５のステップＳ９に戻り、ＢＯＲモードでないならばステップＳ１９に進む。
【００５９】
ステップＳ１９では、リセットフラグによりＭＣＬＲモードなのかどうか判断し、ＭＣＬＲモードならば図５のステップＳ１に戻り、ＭＣＬＲモードでないならば図５のステップＳ９に戻る。
【００６０】
表２に示すように、フィラメントのピッチショート等の過電流が流れるような異常が発生すると、出力電圧が低下しリセットモードに突入する。ＢＯＲまで低下すると、Ｉ／Ｏポートはオフするため負荷制限用の第１及び第２ＦＥＴ２２，２３はオープンになり過電流の原因であるランプ１２を回路から強制的に切り離すため過電流は流れなくなる。それ故に出力電圧が元に戻り、ＣＰＵ２９が動作し始めるので、上記ＢＯＲモードを使い第１及び第２ＦＥＴ２２，２３が再度オンしないようにオフ状態をラッチするように制御する。プログラムフローとしては、ＦＥＴがオフすることで、出力電圧が復帰するが、各リセットモード毎にフラグがたち、復帰したときどのモードでの復帰か判定し、その後の出力ポートの動作を確定する。
【００６１】
上記作用により、ランプ１２の短絡が発生すると、瞬間的に大電流が流れるが、瞬時にＦＥＴ２２，２３がオフし負荷制限をかけ、電源切断し、ＰＯＲが発生しない限りランプを切り離し状態を保持し続け、過電流による異常発熱等の保護が可能になる。
【００６２】
ただし、ランプ１２の短絡以外では過電流保護素子（ＰＳＷ：レイケム社登録商標）１６により短絡を保護する。
【００６３】
（効果）
このように本実施の形態では、ユーザが内視鏡検査を行っている最中は、連続点灯で一定の照明光を内視鏡先端部に供給するため、被写体を明るく照らすことができ、バッテリが消耗してくると、残量表示用ＬＥＤの点灯状態で残容量を知ることができる。しかし、ユーザが検査中は、スコープを覗いているときが多く、残量ＬＥＤを見ることができないことがあるため、残量ＬＥＤでの告知とは別に、ランプに流れる電流を変化させ、視野内の照明光を点滅させ、バッテリ切れを告知し、突然暗くなり検査に支障をきたすような事態を防止できる効果がある。
【００６４】
また、一定の期間照明光を点滅させた後に、ランプを消灯させ、その状態を保持させる事で、電池が劣化（過放電）する前にユーザに電池交換を促すことができ、かつ、充電地の使用寿命を最大限に使用できるという効果がある。
【００６５】
ただし、上記作用及び効果は、高い電圧に設定されたバッテリ電圧を所定のランプ電圧に制御する降圧タイプのＤＣ／ＤＣコンバータ１５、例えば、後述する第４の実施の形態の図１２に示す回路を用いても同様の結果を得ることができる。
【００６６】
つまり、コイル、ダイオード及び本実施の形態のＤＣ／ＤＣコンバータ（スイッチングＦＥＴ内蔵）もしくはＤＣ／ＤＣコントローラ（スイッチングＦＥＴ外付け）でバッテリからの変動電圧を、昇降圧する昇降圧手段を用いてランプの最適な電圧を定電圧で供給できる構成であれば上記手段を用い同様の効果を得られる。
【００６７】
第２の実施の形態：
図１０は本発明の第２の実施の形態に係るバッテリ型光源装置の電源回路の構成を示す構成図である。
【００６８】
第２の実施の形態は、第１の実施の形態とほとんど同じであるので、異なる点のみ説明し、同一の構成には同じ符号をつけ説明は省略する。
【００６９】
（構成）
図１０に示すように、本実施の形態の電源回路も第１の実施の形態と同様に、昇降圧出来るＤＣ／ＤＣコンバータ１５で、ランプ１２に所定の電圧を供給する電源回路であるが、電源回路の負荷を制限する負荷制限手段である第１及び第２ＦＥＴ２２，２３及びバッテリ１３と電源回路を切り離す第３の電気スイッチＦＥＴ４０が、所定の電圧を供給する第２のＤＣ／ＤＣコンバータ３７とエネルギチャージ用の第２のコイル３８及び整流用の第２のダイオード３９でドライブされているＣＰＵ２９によって制御されている構成となっている。
【００７０】
ＣＰＵ２９の入力ポート２９ａはバッテリの電圧を、入力ポート２９ｂは第１のＤＣ／ＤＣコンバータ１５の出力電圧を監視している。
【００７１】
第２のＤＣ／ＤＣコンバータ３７は軽負荷であるＣＰＵ２９のみを動作させるための電源回路であるため、第１のＤＣ／ＤＣコンバータ１５より消費電力の少ないＩＣを使用している。
【００７２】
（作用）
第１の実施の形態と同様に、スイッチ１４がオンされると第２のＤＣ／ＤＣコンバータ３７が動作し始める。第２のＤＣ／ＤＣコンバータ３７が昇圧して、ＣＰＵ２９が動作し始めると、第３の電気スイッチＦＥＴ４０をオンさせる。ただし、本実施の形態ではＮ−チャンネルＦＥＴを示しているため、ゲートに接続されている抵抗はプルダウンされているがＰ−ＦＥＴ等のＯＮ／ＯＦＦ可能な電気スイッチであれば同様の効果が得られる。
【００７３】
第３の電気スイッチＦＥＴ４０がオンすると第１のＤＣ／ＤＣコンバータ１５も動作し始める。その時、ＣＰＵ２９は第１のＤＣ／ＤＣコンバータ１５の出力電圧を監視し、所定の電圧まで昇圧したのを検出したら、第１ＦＥＴ２２をオンする。ここで第１の実施の形態と同様に第１及び第２ＦＥＴ２２，２３に時間差を設けて制御することでランプの突入電流を減らすことができる。出力電圧が安定するまでＣＰＵ２９の内部タイマー等で遅延を設け、入力、及び出力電圧を監視する。入力電圧監視の検出結果を、残量表示用の第１ないし第３ＬＥＤ３０ａ，３０ｂ，３０ｃに反映させ、出力電圧監視の結果をランプ短絡時の過電流を検出し第２ＦＥＴ２３をオフして負荷制限をかける。
【００７４】
さらにローバッテリ時は、第１の実施の形態と同様にある所定の電圧で、第２ＦＥＴ２３をオンオフ制御させることで、警告表示をし、その電圧よりさらに低い電圧で第１ＦＥＴ２２をオフラッチすることで、負荷制限をかけ過放電防止をする。
【００７５】
本実施の形態では、ＣＰＵ２９とランプ１２の電源をそれぞれの独立したＤＣ／ＤＣコンバータで制御しているため、ランプ１２をドライブしている回路部分の第３の電気スイッチＦＥＴ４０でバッテリ１３と切り離すことが可能であり、さらに、遅延機能付きリセットＩＣ４１を用いて、第２のＤＣ／ＤＣコンバータ２９もリセットし停止させることもできる。
【００７６】
さらに、第１，第２のＤＣ／ＤＣコンバータにそれぞれリセット手段を設けて、大電流を流す第１のＤＣ／ＤＣコンバータ１５をまず停止させ、次に消費電流の少ない第２のＤＣ／ＤＣコンバータ３７を停止させることで、ＤＣ／ＤＣコンバータの停止時に発生するバッテリ電圧の復帰に影響を受けずに停止させることも可能で、完全にバッテリ１３と回路を切り離すことができる。
【００７７】
（効果）
このように本実施の形態では、第１の実施の形態の効果に加え、ＣＰＵ２９を第２のＤＣ／ＤＣコンバータ３７を電源とするため、バッテリ１２の過放電、及び過電流時に負荷制限をかけることで保護することができ、かつバッテリと電源回路を遮断することで完全な過放電保護も可能である。
【００７８】
第３の実施の形態：
図１１は本発明の第３の実施の形態に係るバッテリ型光源装置の電源回路の構成を示す構成図である。
【００７９】
第３の実施の形態は、第１の実施の形態とほとんど同じであるので、異なる点のみ説明し、同一の構成には同じ符号をつけ説明は省略する。
【００８０】
（構成）
本実施の形態は、図１１に示すように、ハイサイドスイッチＳＷと呼ばれる制御ＩＣ５１を備え、ＵＳＢ回路等の保護を目的をしたものであって、第１の実施の形態で説明した電気スイッチであるＦＥＴ２２等を制御するものである。制御ＩＣ５１は、ＩＣのＯＮ／ＯＦＦ端子と、入力電圧を監視する端子ＶｉｎとＩＣの電源であるＶｃｃと、検出結果に応じて信号を出力するＯＵＴ端子と、検出結果から出力に遅延を持たせるＳＳ端子とコンデンサと、過電流を検出するカレント端子及び電流値設定用抵抗で構成されている。
【００８１】
（作用）
電源投入すると、ＤＣ／ＤＣコンバータ１５が昇圧し、制御ＩＣ５１が動作し始める。Ｖｉｎ端子がある所定の電圧を超えると、ＳＳ端子のコンデンサの容量により設定される遅延を経て、ＯＵＴ端子よりオン信号が出力され、ＦＥＴ２２がオンする。この時、ＤＣ／ＤＣコンバータ１５は遅延時間分軽負荷での立ち上がりになり出力安定後、ランプ１２が接続される。制御ＩＣ５１は短絡等の異常時に大電流が流れると、カレント端子で電流値を検出し、ＦＥＴ２２をオフし、バッテリ電圧消耗時もＦＥＴ２２をオフすることで過放電防止をする。
【００８２】
今回、使用しているＤＣ／ＤＣコンバータ１５はＯＮ／ＯＦＦ端子があり、上記制御ＩＣ５１の出力を接続すれば容易に過放電、過電流保護ができる。
【００８３】
さらに、本実施の形態では図示していないが、マキシム社製ＤＣ／ＤＣコンバータで型番Ｍａｘ１７０３ＥＳＥ等では、ハイパワー制御のＰＷＭモード、ローパワー制御のＰＦＭモードを選択できるＳＥＬ端子があり、上記制御ＩＣ５１の出力を接続することで、過放電時にＰＦＭモードに切換出力電力を制限することもできる。
【００８４】
（効果）
このように本実施の形態では、上記作用にて、制御ＩＣ５１を用いることで過電流時に負荷切り離しをし、ローバッテリ時に、ＤＣ／ＤＣコンバータのモード制御し、電力制限することが出来、ＩＣの発熱及び過放電防止になる。
【００８５】
第４の実施の形態：
図１２は本発明の第４の実施の形態に係るバッテリ型光源装置の電源回路の構成を示す構成図である。
【００８６】
第４の実施の形態は、第１の実施の形態とほとんど同じであるので、異なる点のみ説明し、同一の構成には同じ符号をつけ説明は省略する。
【００８７】
図１２は第１の実施の形態の回路のＤＣ／ＤＣコンバータを降圧タイプにし、バッテリの間に第３の電気スイッチＦＥＴ４０を設けバッテリの過放電防止のレベルを高める実施形態を示しており、第１の実施の形態で説明した効果が降圧タイプのＤＣ／ＤＣコンバータでも可能であること、また第２の実施の形態で説明した２つのＤＣ／ＤＣコンバータを用いてバッテリと回路を切り離す構成を、１つのＤＣ／ＤＣコンバータだけを使用しても出来る実施形態を示している。
【００８８】
（構成）
本実施の形態では、図１２に示すように、第１の実施の形態の昇圧用ＤＣ／ＤＣコンバータ１５を高圧用ＤＣ／ＤＣコンバータ１５でランプに所定の電圧を供給し、明るさを最適な状態にしている。
【００８９】
第１の実施の形態では、ランプの最適な電圧をバッテリの電圧より高い条件に設定したため昇圧したが、第４の実施の形態では、バッテリの電圧をランプの最適な電圧より高い条件に設定することで降圧させている。つまり、コイル、ダイオード及びＤＣ／ＤＣコンバータ（スイッチングＦＥＴ内臓）もしくはＤＣ／ＤＣコントローラ（スイッチングＦＥＴ外付け）でバッテリからの変動電圧を、昇降圧手段を用いてランプの最適な電圧を定電圧で供給できる。
【００９０】
リセットＩＣ７０は、ある電圧を超える値をＶｉｎで検出すると、内蔵されているスイッチ手段がオンし、第３の電気スイッチＦＥＴ４０のゲート電圧が０Ｖになりソース、ゲート電圧に電位差が生じ、第３の電気スイッチＦＥＴ４０がオンし、電圧がある電圧よりも下がるとＶｏｕｔがＨｉになり第３の電気スイッチＦＥＴ４０がオフする構成である。
【００９１】
昇降圧手段である昇降圧型ＤＣ／ＤＣコンバータ１５は、ＩＣの電源であるＶｉｎと、コイル１７と第３の電気スイッチＦＥＴ４０のドレインの間で、かつＤＣ／ＤＣコンバータ１５に内蔵されている図示されないスイッチング用ＦＥＴと、これまた図示されない、ダイオード１８に並列になるように、ＤＣ／ＤＣコンバータ１５に内蔵されている図示されない同期整流用ＦＥＴとそのスイッチング制御部で構成されている。スイッチング制御部がスイッチングをコントロールし、スイッチングＦＥＴがオンすると、コイル１７を介して、コンデンサ２０に流れ込み、コイル１７にエネルギーがチャージされる。次にスイッチング用ＦＥＴがオフすると、コンデンサ２０と、コイルのエネルギーが負荷に供給され、ダイオード１８との間でループを作り電流が流れる。これを高速で繰り返すことで降圧手段を構成している。上記同期整流用ＦＥＴはダイオード１８を介したループで電流が流れるとき、ダイオードの損失を無くすため、スイッチングＦＥＴと論理が逆に同期した制御になるように構成されている。
【００９２】
その他の残量表示部、負荷制限部は第１の実施の形態と同様の構成になっている。
【００９３】
（作用）
電源投入され、第３の電気スイッチＦＥＴ４０がオンし、昇降圧手段で一定の電圧に安定すると第１の実施の形態と同様にＦＥＴ２２がオンし、時間差を経てＦＥＴ２３がオンし、バッテリ電圧の監視させＬＥＤ３０ａ，３０ｂ，３０ｃを点灯させる。
【００９４】
ランプショート時、またはランプ点滅も第１の実施の形態と同様に制御される。しかし、バッテリ消耗時の過放電保護では、ＣＰＵ２９がＦＥＴ２２をオープンラッチさせ、負荷制限を行い、バッテリの供給する電力を下げる。次にその電圧より低く、かつ過放電にならないある電圧をリセットＩＣ７０で検出し、第３の電気スイッチＦＥＴ４０をオフしバッテリ１３と電源回路を切断する。
【００９５】
この時、ＣＰＵ２９でバッテリ１３の電力を減らしているため、第３の電気スイッチＦＥＴ４０で電源供給を切断してもバッテリの変動はリセットＩＣ７０における検出電圧のヒステリシスで対応でき、発振することなく確実に切断制御ができる。
【００９６】
（効果）
このように本実施の形態では、上記作用にて、１つのＤＣ／ＤＣコンバータを用いて、バッテリと電源回路を切断し、バッテリ過放電を防止し、昇圧タイプのＤＣ／ＤＣコンバータの代わりに降圧タイプに置き換えても第１実施例と同様の効果が得られ、かつ１つのＤＣ／ＤＣコンバータですべての保護機能を実施できるという小型化ができるという効果がある。
【００９７】
第５の実施の形態：
図１３は本発明の第５の実施の形態に係るバッテリ型光源装置の電源回路の構成を示す構成図である。
【００９８】
第５の実施の形態は、第１の実施の形態とほとんど同じであるので、異なる点のみ説明し、同一の構成には同じ符号をつけ説明は省略する。
【００９９】
図１３は、第１の実施の形態の回路で第１の経路と第２の経路に電流が流れ明るさの変化を制御する構成に対し、第１、第２の電流経路を制御信号により切り替わる電気的スイッチ（例えばＦＥＴ、リレー等）で切り替えることで、ランプ１２に流れる電流を制御する実施例を示している。
【０１００】
（構成）
図１３は、バッテリの電圧が低下して、ある設定された電圧を検出すると、ＣＰＵ２９から、制御信号が出力され、その信号によりスイッチ８５の切り替え制御を行う構成になっている．
（作用）
電池消耗時を検出し、ＣＰＵ２９から１、０のＯＮ／ＯＦＦ信号が送られてくると、ＤＣ／ＤＣコンバータ１５の出力がそのままランプ１２に供給される明るい状態と、制限手段（制限抵抗）２４によりランプに流れる電流が減り前記明るさより暗い状態が交互に切り替わることで、電池消耗状態の警告表示になる。さらには、電流の流れないＯＦＦ状態と明るい状態（ＯＮ状態）を交互に切り換えれば、点滅による警告も可能であり、ＯＦＦ状態と暗い状態とに制御すれば電力を減らすこともできる。
【０１０１】
また、前記ＯＮ／ＯＦＦ信号に切り替わる電圧より低い電圧を検出したとき、スイッチ８５を、どちらにも接続しない状態（ＯＦＦ）でラッチ制御すれば、ランプ１２は電源回路から切り離され、バッテリ１３の消費電力を激減することが出来、バッテリ１３の過放電の防止にもなる。
【０１０２】
さらに、ランプ１２が短絡、もしくは過負荷等の異常が発生したとき、ＣＰＵ２９ が自身の電源の変動したこと、またはバッテリ電圧の変動を検出し、ランプ１２を切り離してラッチ制御を行うことで、短絡防止にもなる。
【０１０３】
ただし、このラッチ制御はＣＰＵ２９からの本実施の形態のように制御信号でラッチしたり、ラッチ機能を持ったスイッチ８５を使用、もしくはハード的構成をもってラッチすることで上記作用と同様の効果を得る事ができる。
【０１０４】
（効果）
このように本実施の形態では、上記作用にて、ランプ１２に流れる電流経路を切り替えるスイッチ８５をバッテリ電圧に応じて、ＣＰＵ２９が制御することで、ランプ１２の光量変化及び点滅による電池消耗の警告を行うことができる。
【０１０５】
第６の実施の形態：
図１４は本発明の第６の実施の形態に係るバッテリ型光源装置の電源回路の構成を示す構成図である。
【０１０６】
第６の実施の形態は、第１の実施の形態とほとんど同じであるので、異なる点のみ説明し、同一の構成には同じ符号をつけ説明は省略する。
【０１０７】
図１４は、第１の実施の形態で説明したバッテリ１３とＤＣ／ＤＣコンバータ１５とランプ１２があり、バッテリ１３とＤＣ／ＤＣコンバータ１５の間にＣＰＵ２９を設定した構成を示す。
【０１０８】
（構成）
第１の実施の形態で示したＣＰＵ２９を昇圧する前の電圧で駆動させている構成である。ただし、バッテリ１３の電圧は消耗すると変動していくので、ＣＰＵ２９のリファレンスは、ＣＰＵ２９の電源に影響されない基準電圧８９を入力する、もしくは図示しない外部リファレンスを入力させる構成となっている。
【０１０９】
スイッチ手段９０は例えばＦＥＴ等のようなスイッチを使用し、ランプ１２に供給される電流をＯＮ／ＯＦＦさせる構成になっている。
【０１１０】
（作用）
メカニカルスイッチ１４をＯＮするとバッテリ電圧がＣＰＵ２９にかかり動作し、自身、もしくは外部入力された基準電圧と比較して、バッテリ電圧、もしくは昇圧後の一定の電圧を監視している。バッテリ電圧が低下し、ＣＰＵ２９によりある設定された電圧を検出すると、I／Oポートからスイッチ手段９０にＯＮ／ＯＦＦ制御信号を送ると、ランプが点滅し、バッテリ消耗の警告になる。
【０１１１】
また、前記検出電圧よりさらに低く、バッテリ１３の劣化の起きないバッテリ電圧を検出しスイッチ手段９０をＯＦＦしラッチすることでバッテリの過放電防止になる。
【０１１２】
さらに、ランプ１２が過負荷、もしくは短絡したときにＤＣ／ＤＣコンバータ１５の出力が変動したのをＣＰＵ２９で検出し、スイッチ手段９０をＯＦＦラッチすれば短絡電流の防止になる。ただし、このラッチ制御も第５の実施の形態と同様にＣＰＵ２９からの制御信号でラッチしたり、ラッチ機能を持ったスイッチ８５を使用、もしくはハード的構成をもってラッチすることで上記作用と同様の効果を得る事ができる。
【０１１３】
（効果）
ＣＰＵ２９をＤＣ／ＤＣコンバータ１５とバッテリ１３の間に構成したことで、ランプにかかる（昇圧ICの出力電圧）を監視、及びバッテリ電圧を監視させ、ある設定電圧を検出したとき、ランプ１２を点滅させる警告表示、及びランプ１２を切り離しラッチすることでバッテリ１２の過放電防止、かつ短絡電流防止ができる効果がある。
【０１１４】
［付記］
（付記項１）  内視鏡に照明光を供給する光源ランプと、前記光源ランプに電力を供給するバッテリを備えた内視鏡用バッテリ式電源装置において、
前記バッテリのある基準電圧を設定しその基準電圧以下になると照明光の明るさを変化、または点滅させる照明光制御手段
を具備したことを特徴とする内視鏡用バッテリ式電源装置。
【０１１５】
（付記項２）  前記照明光制御手段は、前記光源ランプにかかる電力を変動させ、点滅、もしくは、第１の電力と、異なる第２の電力を交互にかかるように制御する電力制御手段を有する
ことを特徴とする付記項１に記載の内視鏡用バッテリ式電源装置。
【０１１６】
（付記項３）  前記光源ランプに直列に接続された前記光源ランプの電力を制限する制限手段と、
前記制限手段に並列に接続された第１の電気スイッチ手段と、
前記バッテリのバッテリ電圧を検出する検出手段と、
前記検出手段による検出結果に応じて前記第１の電気スイッチ手段の駆動状態を制御する駆動制御手段と
を具備したことを特徴とする付記項２に記載の内視鏡用バッテリ式電源装置。
【０１１７】
（付記項４）  前記バッテリの電圧を昇圧、もしくは降圧させ前記光源ランプに一定の電力を供給する電源回路と、
前記電源回路の出力電圧を所定の基準電圧と比較する比較手段と、
前記比較手段による比較結果に基づき前記ランプに所定の電圧を供給する電源安定化手段と
を具備したことを特徴とする付記項２に記載の内視鏡用バッテリ式電源装置。
【０１１８】
（付記項５）  内視鏡に照明光を供給する光源ランプと、
前記光源ランプに電力を供給するバッテリと、
前記バッテリの電圧を昇降圧する電源安定化手段と、
前記電源安定化手段と前記光源ランプの間に設けられた第１の電気スイッチ手段と、
前記光源ランプに直列に接続された光源ランプの電力を制御する負荷制限手段と、
前記負荷制限手段に並列に接続された第２の電気スイッチ手段と、
前記電源安定化手段で制御された電源によって動作するとともに、該電源レベル、及びバッテリの電圧を検出し、該検出結果に基づき前記電気スイッチ手段を制御する制御手段と
を具備したことを特徴とする内視鏡用バッテリ式電源装置。
【０１１９】
（付記項６）  内視鏡に照明光を供給する光源ランプと、前記光源ランプに電力を供給するバッテリと電源安定化手段を備えた内視鏡用バッテリ式電源装置において、
前記電源安定化手段と前記光源ランプの間に設けられた電気スイッチ手段と、
前記バッテリの電圧を検出する検出手段と、
前記検出手段による検出結果に応じて前記電気スイッチを制御する制御手段と、
前記検出手段により検出したバッテリ電圧よりさらに低いある電圧を検出し、前記電源安定化手段の動作を停止するリセット手段と
を具備したことを特徴とする内視鏡用バッテリ式電源装置。
【図面の簡単な説明】
【０１２０】
【図１】本発明の第１の実施の形態に係る内視鏡装置の構成を示す構成図
【図２】図１のバッテリ型光源装置の構成を示す構成図
【図３】図２のバッテリ型光源装置の電源回路の構成を示す構成図
【図４】図３のＤＣ／ＤＣコンバータの内部スイッチング回路部の構成を示す構成図
【図５】図３のバッテリ型光源装置の電源回路の作用を説明する第１のフローチャート
【図６】図３のバッテリ型光源装置の電源回路の作用を説明する第２のフローチャート
【図７】図５のＡ／Ｄ変換サブルーチンの処理の流れを示すフローチャート
【図８】図５の電圧判定サブルーチンの処理の流れを示すフローチャート
【図９】図６のイベント発生時の警告表示を説明する説明図
【図１０】本発明の第２の実施の形態に係るバッテリ型光源装置の電源回路の構成を示す構成図
【図１１】本発明の第３の実施の形態に係るバッテリ型光源装置の電源回路の構成を示す構成図
【図１２】本発明の第４の実施の形態に係るバッテリ型光源装置の電源回路の構成を示す構成図
【図１３】本発明の第５の実施の形態に係るバッテリ型光源装置の電源回路の構成を示す構成図
【図１４】本発明の第６の実施の形態に係るバッテリ型光源装置の電源回路の構成を示す構成図
【符号の説明】
【０１２１】
１…内視鏡装置
２…内視鏡
３…バッテリ型光源装置
１２…ランプ
１３…バッテリ
１４…スイッチ
１５…ＤＣ／ＤＣコンバータ
１６…ポリスイッチ
１７…コイル
１８…整流用ダイオード
１９…入力コンデンサ
２０…コンデンサ
２１…比較手段
２２…第１ＦＥＴ
２３…第２ＦＥＴ
２４…固定負荷
２５，２６…プルアップ抵抗
２９…ＣＰＵ
３０ａ…第１ＬＥＤ
３０ｂ…第２ＬＥＤ
３０ｃ…第３ＬＥＤ
代理人    弁理士    伊藤  進
【図１】
2005087758.tif 000005
【図２】
2005087758.tif 000006
【図３】
2005087758.tif 000007
【図４】
2005087758.tif 000008
【図５】
2005087758.tif 000009
【図６】
2005087758.tif 000010
【図７】
2005087758.tif 000011
【図８】
2005087758.tif 000012
【図９】
2005087758.tif 000013
【図１０】
2005087758.tif 000014
【図１１】
2005087758.tif 000015
【図１２】
2005087758.tif 000016
【図１３】
2005087758.tif 000017
【図１４】
2005087758.tif 000018